(57)【要約】      （修正有）【課題】棚板のみを配置してその上に陳列される商品を明るく照射する。光源を目立たない位置に配置してスッキリと綺麗なデザインにする。【解決手段】棚は、棚板１と、棚板１を水平姿勢に支持する支持部とを有する。棚板１は、光を透過できるプラスチック板３と、このプラスチック板３に内蔵してなるＬＥＤ基板４とを備えている。プラスチック板３の内部には、ＬＥＤ基板４を配置する挿入隙間５を間口方向に伸びて設けている。ＬＥＤ基板４は、複数のＬＥＤ６を一方の面に所定の間隔で固定している。棚は、ＬＥＤ基板４をプラスチック板３の挿入隙間５に挿入して、ＬＥＤ基板４のＬＥＤ６から照射される光を、プラスチック板３の上面に向かって傾斜する方向に照射して、棚板１に載せられる商品の前面を下から斜め方向に照射している。【選択図】図３
2012135545.tif 000002
【特許請求の範囲】
【請求項１】
棚板(1)と、棚板(1)を水平姿勢に支持する支持部(2)とを有する棚であって、
前記棚板(1)が、光を透過できるプラスチック板(3)と、このプラスチック板(3)に内蔵してなるＬＥＤ基板(4)とを備え、
前記プラスチック板(3)の内部には、前記ＬＥＤ基板(4)を配置する挿入隙間(5)を間口方向に伸びて設けており、
前記ＬＥＤ基板(4)は、複数のＬＥＤ(6)を一方の面に所定の間隔で固定しており、
前記ＬＥＤ基板(4)が前記プラスチック板(3)の挿入隙間(5)に挿入されて、ＬＥＤ基板(4)のＬＥＤ(6）から照射される光がプラスチック板(3)の上面に向かって傾斜する方向に照射されて、棚板(1)に載せられる商品の前面を下から斜め方向に照射するようにしてなる棚。
【請求項２】
前記ＬＥＤ基板(4)を、プラスチック板(3)の後縁側から前縁側に向かって上り勾配に傾斜する姿勢で前記挿入隙間(5)に配置してなる請求項１に記載される棚。
【請求項３】
前記棚板(1)のプラスチック板(3)が、光を透過できる上面プレート(11)に下面プレート(12)を連結してなる中空プラスチック板(10)である請求項１または２に記載される棚。
【請求項４】
前記棚板(1)が、上面プレート(11)と下面プレート(12)とを、透光性のプラスチックからなるハニカムコア(13)で連結してなる中空プラスチック板(10)と、上面プレート(11)と下面プレート(12)とを、所定の間隔に設けてなる透光性のプラスチックからなる垂直リブ(15)で連結してなる中空プラスチック板(10)のいずれかである請求項３に記載される棚。
【請求項５】
前記挿入隙間(5)が、前記プラスチック板(3)の内部に、プラスチック板(3)の後縁側から前縁側に向かって上り勾配に傾斜する姿勢で設けたスリット(8)である請求項１ないし４のいずれかに記載される棚。
【請求項６】
前記棚板(1)が、プラスチック板(3)の前縁に沿ってスリット(8)を設けてなる請求項５に記載される棚。
【請求項７】
前記挿入隙間(5)に配置されるＬＥＤ基板(4)の棚板上面(1A)に対する傾斜角（α）が１０度ないし７０度である請求項１ないし６のいずれかに記載される棚。
【請求項８】
前記ＬＥＤ基板(4)のＬＥＤ(6)から照射される光を反射させる反射板(9)を前記挿入隙間(5)に配置しており、前記ＬＥＤ(6）から照射される光を前記反射板(9)で反射してプラスチック板(3)の上面に向かって傾斜する方向に照射する請求項１ないし７のいずれかに記載される棚。
【請求項９】
前記プラスチック板(3)の内部に、複数の挿入隙間(5)を前後に離して設けており、各々の挿入隙間(5)に前記ＬＥＤ基板(4)を挿入してなる請求項１ないし８のいずれかに記載される棚。
【発明の詳細な説明】
【技術分野】
【０００１】
本発明は、ショーケース等の棚に陳列された商品を照らすことができる棚に関し、とくに棚板の内部に光源を配置している棚に関する。
【背景技術】
【０００２】
ショーケース等の棚に陳列された商品をＬＥＤの光源で照らすことができる棚は開発されている。（特許文献１及び２参照）
特許文献１の棚は、複数のＬＥＤを所定の間隔で配置しているＬＥＤ基板を、固定具を介して棚板の下面や棚板の間に配置して、ＬＥＤ基板の下段の棚板に陳列する商品を上から照らす構造としている。
特許文献２は、外形形状を角形とするライン型ＬＥＤ灯を光源とし、このライン型ＬＥＤ灯をランプホルダーを介して商品陳列棚の下面側に架設したショーケースを記載している。このショーケースは、ランプホルダーを棚板の下面に連結し、ランプホルダーにライン型ＬＥＤ灯の取付角度を所望の角度に調整できるように連結している。
【先行技術文献】
【特許文献】
【０００３】
【特許文献１】特開２０１０−１７０９７０号公報
【特許文献２】特開２０１０−１５８３３７号公報
【発明の概要】
【発明が解決しようとする課題】
【０００４】
以上の棚やショーケースは、棚板の上方にＬＥＤの光源を配置して、光源で棚板に陳列する商品を上から照らすので、棚板のみを設けて、この棚板に陳列する商品を明るく照らすことができない欠点がある。すなわち、光源と棚板とからなる一対のパーツを、互いに相対位置を考慮しながら配置する必要があり、棚板のみを配置して、その上に陳列する商品を明るく照射できない。また、棚板やその間に配置する光源が目立つ位置にあるので、スッキリと綺麗なデザインを実現できない欠点もある。さらにまた、光源と棚板との距離が長くなるので、商品を明るく照射するために高輝度のＬＥＤを使用する必要があり、部品コストが高くなると共に、消費電力も大きくなる欠点があった。
【０００５】
本発明は、以上の欠点を解決することを目的に開発されたものである。本発明の重要な目的は、棚板と光源を、相対位置を考慮しながら配置する必要がなく、棚板のみを配置してその上に陳列される商品を明るく照射できる棚を提供することにある。
また、本発明の他の大切な目的は、光源を目立たない位置に配置してスッキリと綺麗なデザインにできる棚を提供することにある。
さらにまた、本発明の他の大切な目的は、光源のＬＥＤと陳列される商品とを接近して、安価なＬＥＤで商品を明るく照射でき、光源の消費電力を少なくしてエネルギー消費を少なくして省エネルギーにできる棚を提供することにある。
【課題を解決するための手段及び発明の効果】
【０００６】
本発明の棚は、棚板１と、棚板１を水平姿勢に支持する支持部２とを有する。棚板１は、光を透過できるプラスチック板３と、このプラスチック板３に内蔵してなるＬＥＤ基板４とを備えている。プラスチック板３の内部には、ＬＥＤ基板４を配置する挿入隙間５を間口方向に伸びて設けている。ＬＥＤ基板４は、複数のＬＥＤ６を一方の面に所定の間隔で固定している。棚は、ＬＥＤ基板４をプラスチック板３の挿入隙間５に挿入して、ＬＥＤ基板４のＬＥＤ６から照射される光を、プラスチック板３の上面に向かって傾斜する方向に照射して、棚板１に載せられる商品の前面を下から斜め方向に照射している。
ただし、本明細書において、「棚板の間口方向」とは、棚の奥行きである前後方向と直交する左右方向であって、棚板の正面における長さ方向を意味するものとする。
【０００７】
以上の棚は、従来のように棚板と光源とを、相対位置を考慮しながら配置する必要がなく、棚板のみを配置してその上に陳列される商品を明るく照らすことができる。また、以上の棚は、光源を棚板の内部に目立たないように配置してスッキリと綺麗なデザインにできる特徴も実現する。さらにまた、以上の棚は、商品を載せる棚に光源を内蔵して、この光源から上に載せる商品を照らすので、ＬＥＤと陳列される商品とを接近させて明るく照射できる。また、商品と光源とを接近できるので、出力の小さい安価なＬＥＤで商品を明るく照射でき、しかも、光源の消費電力を少なくして省エネルギーに商品を明るく照らすことができる特徴も実現する。
【０００８】
本発明の棚は、ＬＥＤ基板４を、プラスチック板３の後縁側から前縁側に向かって上り勾配に傾斜する姿勢で挿入隙間５に配置することができる。
以上の棚は、簡単な構造で、ＬＥＤ基板を所定の姿勢でプラスチック板の内部に配置して、棚板に載せられる商品の前面を下から斜め方向に照射できる。
【０００９】
本発明の棚は、棚板１のプラスチック板３を、光を透過できる上面プレート１１に下面プレート１２を連結してなる中空プラスチック板１０とすることができる。
以上の棚は、棚板を軽くして、陳列している商品を明るく照射できる特徴がある。それは、棚板に内蔵するＬＥＤが、棚板全体のプラスチックを透過することなく、棚板全体よりも薄い上面プレートを透過して商品を照射できるからである。
【００１０】
本発明の棚は、棚板１を、上面プレート１１と下面プレート１２とを透光性のプラスチックからなるハニカムコア１３で連結してなる中空プラスチック板１０とし、あるいは、上面プレート１１と下面プレート１２とを所定の間隔に設けてなる透光性のプラスチックからなる垂直リブ１５で連結してなる中空プラスチック板１０とすることができる。
以上の棚は、ハニカムコアや垂直リブで上面プレートと下面プレートとを連結する構造として、棚板を軽くて強靱な構造としながら、ハニカムコアや垂直リブでＬＥＤ基板を定位置に配置できる特徴がある。さらに、ハニカムコアや垂直リブで構成される中空プラスチック板の棚板は、ＬＥＤ基板から照射される光をハニカムコアや垂直リブに透過させて中空プラスチック板の奥側まで光を供給できるので、棚板全体を明るくできる特徴がある。
【００１１】
本発明の棚は、挿入隙間５を、プラスチック板３の内部に、プラスチック板３の後縁側から前縁側に向かって上り勾配に傾斜する姿勢で設けたスリット８とすることができる。
以上の棚は、スリットである挿入隙間にＬＥＤ基板を挿入して、簡単かつ容易に、ＬＥＤ基板を所定の姿勢でプラスチック板の内部に配置できる。
【００１２】
本発明の棚は、棚板１に、プラスチック板３の前縁に沿ってスリット８を設けることができる。
以上の棚は、光源を棚板の前縁に配置して陳列される商品を照らすので、商品を棚板の前部に配置しても、光源で前から明るく照らすことができる。
【００１３】
本発明の棚は、挿入隙間５に配置されるＬＥＤ基板４の棚板上面１Ａに対する傾斜角（α）を、１０度ないし７０度とすることができる。
以上の棚は、棚板に内蔵するＬＥＤ基板でもって、上に陳列する商品の前面を最適な角度から明るく照射できる。
【００１４】
本発明の棚は、ＬＥＤ基板４のＬＥＤ６から照射される光を反射させる反射板９を挿入隙間５に配置して、ＬＥＤ６から照射される光を反射板９で反射してプラスチック板３の上面に向かって傾斜する方向に照射することができる。
以上の棚は、ＬＥＤから照射される光を棚板に内蔵される反射板で反射して、プラスチック板の上面に向かって照射するので、ＬＥＤから直接照射される光だけでなく、反射光によっても照射できるので、商品をより明るく照射できる。
【００１５】
本発明の棚は、プラスチック板３の内部に、複数の挿入隙間５を前後に離して設けて、各々の挿入隙間５にＬＥＤ基板４を挿入することができる。
以上の棚は、中間にもＬＥＤ基板を配置するので、棚板の奥側に陳列される商品にも下側から光を照射して明るく照射できる。したがって、棚板の全面をより有効に活用しながら商品を陳列できる。
【図面の簡単な説明】
【００１６】
【図１】本発明の一実施例にかかる棚の斜視図である。
【図２】本発明の他の実施例にかかる棚の斜視図である。
【図３】棚板の一例を示す拡大断面図である。
【図４】図３に示す棚板の分解斜視図である。
【図５】棚板の他の一例を示す拡大断面図である。
【図６】図５に示す棚板の分解斜視図である。
【図７】棚板の他の一例を示す拡大断面図である。
【図８】棚板の他の一例を示す拡大断面図である。
【図９】棚板の他の一例を示す拡大断面図である。
【図１０】棚板の他の一例を示す拡大断面図である。
【図１１】図１０に示す棚板の分解斜視図である。
【図１２】棚板の他の一例を示す一部拡大断面図である。
【図１３】棚板の他の一例を示す一部拡大断面図である。
【図１４】棚板の他の一例を示す拡大断面図である。
【図１５】棚板の他の一例を示す拡大断面図である。
【図１６】棚板の他の一例を示す拡大断面図である。
【図１７】棚板の他の一例を示す拡大断面図である。
【発明を実施するための形態】
【００１７】
以下、本発明の実施例を図面に基づいて説明する。ただし、以下に示す実施例は、本発明の技術思想を具体化するための棚を例示するものであって、本発明は棚を以下のものに特定しない。さらに、この明細書は、特許請求の範囲を理解しやすいように、実施例に示される部材に対応する番号を、「特許請求の範囲」および「課題を解決するための手段」の欄に示される部材に付記している。ただ、特許請求の範囲に示される部材を、実施例の部材に特定するものでは決してない。
【００１８】
図１に示す棚は、複数段の棚板１と、各々の棚板１を水平姿勢に支持する支持部２とを備える。図１の支持部２は、棚板１と同じ幅である一対の垂直プレート２１からなり、この垂直プレート２１に棚板１の両端面を連結して、棚板１を水平姿勢に支持している。ただし、支持部２は、図２に示すように、棚板１の背面に配置される１枚の垂直プレート２２と、この垂直プレート２２に水平に固定している複数の支持アーム２３で構成することもできる。この支持部２は、支持アーム２３に棚板１を載せて水平姿勢に支持する。
【００１９】
棚板１は、図３ないし図１１に示すように、光を透過できるプラスチック板３と、このプラスチック板３に内蔵しているＬＥＤ基板４とを備える。プラスチック板３は、ＬＥＤ基板４を挿入して定位置に配置するために、棚板１の間口方向に伸びる挿入隙間５を内部に設けている。挿入隙間５は、ＬＥＤ６を一方の面に固定しているＬＥＤ基板４が挿入される。図に示す挿入隙間５は、挿入されるＬＥＤ基板４をプラスチック板３の後縁側から前縁側に向かって上り勾配に傾斜する姿勢で配置している。この姿勢で挿入隙間５に配置されるＬＥＤ基板４は、上面に固定されたＬＥＤ６から光を照射して、棚板１に陳列される商品の前面を下から斜め方向に照らす。
【００２０】
図３ないし図９に示す棚板１は、ＬＥＤ基板４が挿入される挿入隙間５を、プラスチック板３の内部に設けたスリット８としている。スリット８である挿入隙間５は、プラスチック板３の後縁側から前縁側に向かって上り勾配に傾斜する姿勢で設けている。スリット８は、ＬＥＤ６を上側の面に固定しているＬＥＤ基板４を挿入して定位置に配置するので、ＬＥＤ基板４を挿入できる内形としている。この挿入隙間５は、プラスチック板３に設けられるスリット８の角度で、内蔵するＬＥＤ基板４の棚板上面１Ａに対する傾斜角（α）が特定される。
【００２１】
図３と図４に示す棚板１は、光を透過できる上面プレート１１に下面プレート１２を連結してなる中空プラスチック板１０である。この棚板１は、上面プレート１１と下面プレート１２とを、透光性のプラスチックからなるハニカムコア１３で連結している。この棚板１は、上面プレート１１とハニカムコア１３とを透光性のプラスチックとし、下面プレート１２を透光性のないプラスチックとして、内蔵するＬＥＤ６の光を上方に透過できる。ただ、好ましくは、このプラスチック板は、上面プレートと下面プレートとハニカムコアの全てを透光性のプラスチックで製作する。
【００２２】
図３と図４に示す中空プラスチック板１０の棚板１は、前面の上縁から傾斜するようにハニカムコア１３を丸鋸で切削して、棚板１の間口方向に延びる細長いスリット８を設けている。中空プラスチック板１０は、前面に装飾プレート１４を固定して、切削されたスリット８の開口部１６を閉塞している。この中空プラスチック板１０は、棚板１の間口方向に延びるスリット８の長さ方向の端部、すなわち棚板１の左右の端部を開口して、ＬＥＤ基板４をスリット８の長手方向に挿入して定位置に配置できる。ただ、装飾プレート１４を固定する前に、スリット８にＬＥＤ基板４を挿入し、その後に棚板１の端部に装飾プレート１４を固定してＬＥＤ基板４を棚板１に内蔵することもできる。
【００２３】
さらに、中空プラスチック板１０の棚板１は、図５と図６に示すように、前面側の上面に、棚板１の間口方向に延びる挿入隙間５を設けることもできる。図５と図６に示す棚板１は、ハニカムコア１３の上面を丸鋸等の工具を使用して間口方向に切削して、中空プラスチック板１０の前縁側から後縁側に向かって下り勾配に傾斜するスリット８を設けて挿入隙間５としている。さらに、棚板１は、ハニカムコア１３の上面に上面プレート１１を積層してスリット８の開口部１６を閉塞している。この棚板１は、ハニカムコア１３の上面に設けたスリット８を上面プレート１１で閉塞して、この開口部１６を外部から見えなくしながら、開口部１６を上面プレート１１で補強している。とくに、図に示す棚板１は、挿入隙間５に配置されるＬＥＤ基板４に固定されるＬＥＤ６を、ＬＥＤ基板４の下端部の上面に固定することで、ＬＥＤ基板４の横幅（Ｗ）を短くしながら、ＬＥＤ６を中空プラスチック板１０の中央部に配置できるようにしている。これにより、ハニカムコア１３に開口されるスリット８の深さを浅くして、中空プラスチック板全体の強度を低下させることなく、ハニカムコア１３の上面に挿入隙間５を開口している。この棚板１は、ハニカムコア１３の上面を上面プレート１１で閉塞後に、挿入隙間５の端部からＬＥＤ基板４を挿入して挿入隙間５の内部に配置し、あるいは、ハニカムコア１３の上面を上面プレート１１で閉塞する前に、挿入隙間５にＬＥＤ基板４を挿入することができる。
【００２４】
さらに、図７の棚板１は、前面側の下面に、棚板１の間口方向に延びる挿入隙間５を設けている。この棚板１は、ハニカムコア１３の下面を丸鋸等の工具を使用して間口方向に切削して、中空プラスチック板１０の後縁側から前縁側に向かって上り勾配に傾斜するスリット８を設けて挿入隙間５としている。さらに、棚板１は、ハニカムコア１３の下面に下面プレート１１を積層してスリット８の開口部１６を閉塞し、この開口部１６を外部から見えなくすると共に、開口部１６を下面プレート１１で補強している。図に示す棚板１は、挿入隙間５に配置されるＬＥＤ基板４に固定されるＬＥＤ６を、ＬＥＤ基板４の上端部の上面に固定することで、ＬＥＤ基板４の横幅（Ｗ）を短くしながら、ＬＥＤ６を中空プラスチック板１０の中央部に配置している。これにより、ハニカムコア１３に開口されるスリット８の深さを浅くして、全体の強度を低下させることなく、ハニカムコア１３の下面に挿入隙間５を開口している。この棚板１も、ハニカムコア１３の下面を下面プレート１２で閉塞後に、挿入隙間５の端部からＬＥＤ基板４を挿入して挿入隙間５の内部に配置し、あるいは、ハニカムコア１３の下面を下面プレート１２で閉塞する前に、挿入隙間５にＬＥＤ基板４を挿入することができる。
【００２５】
さらに、前面側の上面にスリット８を設ける棚板１は、図８に示すように、ハニカムコア１３の上面に上面プレート１１を積層して固定した後、上面プレート１１とハニカムコア１３の両方を丸鋸等で間口方向に切削して、挿入隙間５を設けることもできる。この棚板１も、中空プラスチック板１０の前縁側から後縁側に向かって下り勾配に傾斜するスリット８を設けて挿入隙間５としている。さらに、図の棚板１は、上面プレート１１に開口された開口部１６を閉塞部材１７で閉塞している。この閉塞部材１７は、棚板１の上面に開口されたスリット状の開口部１６に沿う細長い形状で、嵌着構造で開口部１６に連結している。図に示す閉塞部材１７は、開口部１６に嵌入される挿入部１７Ａの両側に、棚板の上面に沿う鍔部１７Ｂを設けており、この鍔部１７Ｂを開口部１６の周辺部に密着させている。この形状の閉塞部材１７は、棚板１の上面に表出する部分を、上面プレート１１の上面に沿う平面形状として外観を良くしながら、外れないように装着できる。以上の閉塞部材１７は、好ましくはエラストマーや軟質のプラスチック等で製造される。この閉塞部材１７は、棚板１の上面に陳列される商品の滑り止めに併用することができる。ただ、閉塞部材は、硬質のプラスチックや金属製のロッド材とすることもでき、あるいは、接着テープとして開口部に付着して閉塞することもできる。
【００２６】
ハニカムコア１３で構成される中空プラスチック板１０は、ＬＥＤ基板４から照射される光をハニカムコア１３の内部で屈折や反射を繰り返す状態としながら進行させて、中空プラスチック板１０の奥側まで光を供給できる特徴がある。この棚板１は、中空プラスチック板１０自体を明るく発光させる状態として、光源であるＬＥＤ６から離れた部分まで明るくできる。このように、ＬＥＤ基板４から遠く離れたところまで明るくできる棚板１は、奥側に陳列される商品にも光を照射できるので、棚板１の全面を有効に活用しながら商品を陳列できる特徴がある。
【００２７】
図９の棚板１は、全体をプラスチック板３で成形している。この棚板１は、プラスチック板３を丸鋸で切削してスリット８を設けて、このスリット８をＬＥＤ基板４を挿入する挿入隙間５としている。図に示す棚板１は、スリット８を棚板１の前面に開口しており、棚板１の前面に固定している装飾プレート１４でスリット８の開口部１６を閉塞している。ただ、全体をプラスチック板で成形する棚板は、図示しないが、上面または下面を切削してスリットを設けて、ＬＥＤ基板を挿入する挿入隙間とすることもできる。この棚板も、プラスチック板の上面または下面に設けられるスリットの開口部を、前述の閉塞部材で閉塞することができる。
【００２８】
図１０と図１１の棚板１は、透光性の上面プレート１１と下面プレート１２とを、所定の間隔に設けている透光性のプラスチックの垂直リブ１５で連結している中空プラスチック板１０である。この構造の中空プラスチック板１０は、連続的に押出成形して多量生産できる。この棚板１は、隣接する垂直リブ１５と上面プレート１１と下面プレート１２とで断面形状を四角形とする空隙ができる。中空プラスチック板１０は、前縁側にできる四角形の空隙を挿入隙間５として、ＬＥＤ基板４を中空プラスチック板１０の定位置に、好ましい姿勢で配置できるようにしている。図に示す中空プラスチック板１０は、挿入隙間５である四角形の空隙に、対角線状にＬＥＤ基板４を挿入して、ＬＥＤ基板４をプラスチック板３の後縁側から前縁側に向かって上り勾配に傾斜する姿勢で配置している。この中空プラスチック板１０は、図１１の矢印で示すように、棚板１の左右の端部に開口される開口部から挿入隙間５にＬＥＤ基板４を挿入して定位置に配置できる。この構造の棚板１は、挿入隙間５を形成している互いに隣接する垂直リブ１５の間隔（Ｄ）と、挿入されるＬＥＤ基板４の横幅（Ｗ）とで、挿入隙間５に配置されるＬＥＤ基板４の棚板上面１Ａに対する傾斜角（α）が特定される。ただし、この中空プラスチック板１０は、図１０の鎖線で示すように、垂直リブ１５を裁断するようにスリット８を設けて、このスリット８にＬＥＤ基板４を挿入して定位置に配置することもできる。垂直リブにスリットを設ける構造は、ＬＥＤ基板を自由な角度で棚板１に固定できる。また、横幅の広いＬＥＤ基板を、狭い間隔の垂直リブに連結することもできる。図１０と図１１に示す中空プラスチック板１０も、ＬＥＤ基板４から照射される光を垂直リブ１５に透過させて奥側まで進行させて、光源であるＬＥＤ６から離れた部分まで明るくできる。
【００２９】
以上の図に示す棚板１は、挿入隙間５を棚板１の前端縁に沿って設けている。この棚板１は、前端に沿って配置されるＬＥＤ基板４のＬＥＤ６から照射される光を、棚板１に載せられる商品の前面に下から照射して、商品を明るく照らすことができる。とくに、挿入隙間５に挿入されるＬＥＤ基板４を傾斜姿勢で配置するので、光源であるＬＥＤ６から斜め上方に向かって光を照射して、棚板１の前端から離れた位置まで明るく照らすことができる。
【００３０】
さらに、棚板１は、図１２と図１３に示すように、前端部だけでなく、前後の中間部分においても挿入隙間５を設けてＬＥＤ基板４を配置することができる。図１２と図１３に示す棚板１は、中空プラスチック１０からなる棚板１の前端部と中央部の２箇所に挿入隙間５を設けて、これらの挿入隙間５にＬＥＤ基板４を配置している。ただ、棚板は、中間部分の２箇所以上に挿入隙間を設けて、すなわち全体で３箇所以上の挿入隙間を設けて、それぞれの挿入隙間にＬＥＤ基板を配置することもできる。以上の棚板１は、複数列のＬＥＤ基板４を、棚板１の奥行き方向である前後に離して配列して、棚板１の上面に陳列される商品をさらに明るく照射できる。
【００３１】
図１２に示す棚板１は、ハニカムコア１３の中間部において、間口方向に延びる挿入隙間５を開口して設けている。図に示す挿入隙間５はスリット状で、ハニカムコア１３の下面を丸鋸等を使って切削して設けている。スリット８である挿入隙間５は、所定の傾斜角（α）となるように開口している。中間部分の下面に開口される挿入隙間５は、開口部１６を下面プレート１２で閉塞して、この部分を外部から見えなくすると共に、この開口部１６を下面プレート１２で補強している。この棚板１は、ハニカムコア１３の下面を下面プレート１２で閉塞後に、挿入隙間５の端部からＬＥＤ基板４を挿入して挿入隙間５の内部に配置することができる。ただ、ＬＥＤ基板は、ハニカムコアの下面を下面プレートで閉塞する前に、挿入隙間に挿入することもできる。このように、ハニカムコア１３の下面に挿入隙間５を開口する構造は、この開口部１６を目立たなくできる。ただ、棚板は、図示しないが、ハニカムコアの中間部の上面にスリットを設けて挿入隙間とすることもできる。この棚板は、前述の図５と図６に示す構造と同様に、ハニカムコアの上面を丸鋸等を使って切削してスリットを設けて挿入隙間とし、このスリットの開口部を上面プレートで閉塞することも、前述の図８に示す構造と同様に、上面プレートとハニカムコアの両方を丸鋸等で切削してスリットを設けて挿入隙間とし、このスリットの開口部を閉塞部材で閉塞することもできる。
【００３２】
図１３に示す棚板１は、中間部において隣接する垂直リブ１５の間に形成される隙間を挿入隙間５として、この隙間にＬＥＤ基板４を挿入している。この棚板１は、中空プラスチック板１０を切削することなく、中間部においても、左右の端部に開口される開口部から挿入隙間５にＬＥＤ基板４を挿入して定位置に配置できる。中間部に設けた挿入隙間５に配置されるＬＥＤ基板４は、その横幅（Ｗ）を調整し、あるいは、ＬＥＤ基板４を所定の姿勢に保持する固定部材（図示せず）を介して、所定の傾斜角（α）となるように挿入隙間５に配置される。
【００３３】
以上のように、中間にもＬＥＤ基板４を配置する棚板１は、棚板１の奥側に陳列される商品についても下側から光を照射して、明るく照射できる特徴がある。とくに、ハニカムコア１３や垂直リブ１５で構成される中空プラスチック板１０の棚板１は、ＬＥＤ基板４から照射される光を中空プラスチック板１０の内部で進行させて、棚板１の奥側まで確実に光を供給して棚板全体を明るくできる特徴がある。したがって、棚板１の全面をより有効に活用しながら商品を陳列できる。
【００３４】
ＬＥＤ基板４は、プリント基板７の片面に複数のＬＥＤ６を所定の間隔で固定している。ＬＥＤ基板４は、ＬＥＤ６を固定している面を上面として、棚板１に挿入されて、棚板１に陳列される商品を下から照射する。プリント基板７は、表面に固定される各々のＬＥＤ６に通電する配線（図示せず）を表面に設けており、この配線にＬＥＤ６をハンダ付けして固定している。ＬＥＤ６は、配線を介して直列又は並列に接続されて点灯される。プリント基板７は、図示しないが、各々のＬＥＤ６に流れる電流を一定の電流値に制御するための抵抗器や定電流回路を実装している。ＬＥＤ６は、光を広い範囲にできるかぎり均一に照射するチップタイプのものが適している。また、チップタイプのＬＥＤ６は、プリント基板７から突出する高さを低くできるので、ＬＥＤ基板４を薄くして、狭いスリット８に挿入できる。
【００３５】
ＬＥＤ基板４は、棚板１に設けた挿入隙間５に挿入されて所定の姿勢に保持される。挿入隙間５に挿入されるＬＥＤ基板４の棚板上面１Ａに対する傾斜角（α）は、たとえば、１０度ないし７０度、好ましくは２０度ないし６０度、さらに好ましくは３０度ないし５０度とする。棚板１は、傾斜角（α）を小さくしてＬＥＤ６の光の照射方向を垂直方向にし、傾斜角（α）を大きくしてＬＥＤ６の光の照射方向を水平方向にできる。傾斜角（α）が小さすぎてＬＥＤ６の光が垂直方向に近くなると、棚板１に陳列している商品の前面を均一に照射できなくなり、反対に傾斜角（α）が大きすぎてＬＥＤ６の光が水平方向に近くなると、陳列している商品の上部を明るく照射するのが難しくなる。したがって、ＬＥＤ基板４の傾斜角（α）は、直列している商品の前面をより均一に照射できるように、前述の範囲に設定される。
【００３６】
さらに、図１４ないし図１７に示す棚板１は、全体をプラスチック板３で成形すると共に、プラスチック板３の先端縁に沿って間口方向に延びる柱状の縦孔を設けて、ＬＥＤ基板４を挿入する挿入隙間５としている。これらの棚板１は、回転式のルーターをプラスチック板３の先端縁に沿って移動させて、プラスチック板３の内部に柱状の挿入隙間５を設けている。このように、柱状に開口される挿入隙間５は、プラスチック板３の内部に形成される空間を立体的に広くできるので、挿入隙間５に配置されるＬＥＤ基板４の形状や姿勢に対する制約を少なくできる。とくに、回転式のルーターで挿入隙間５を穿孔する方法は、使用するルーターの形状によって、形成される断面形状を種々に変更できるので、挿入隙間５の断面形状に自由度が生まれて、内部に配置されるＬＥＤ基板４の配置や姿勢を種々に変更できる特徴もある。
【００３７】
図１４に示す棚板１は、プラスチック板３の内部に、横断面形状を円形とする円柱状の縦孔を穿孔して挿入隙間５としている。この棚板１は、円柱状の挿入隙間５の内径（Ｈ）をＬＥＤ基板４の横幅（Ｗ）とほぼ等しくしており、ＬＥＤ基板４の棚板上面１Ａに対する傾斜角（α）を種々に変更できるようにしている。この棚板１は、ＬＥＤ基板４の両側縁を挿入隙間５の内面に接着して所定の角度で固定し、あるいは、挿入隙間５の内面に設けた位置決め構造（図示せず）を介してＬＥＤ基板４を所定の姿勢で配置できる。この棚板１は、陳列される商品に応じて、ＬＥＤ基板４の向きを調整して、ＬＥＤ６の照射角度を種々に変更できる。
【００３８】
また、図１５と図１６に示す棚板１は、プラスチック板３の内部に、横断面形状を略正方形とする四角柱状の縦孔を穿孔して挿入隙間５としている。この棚板１は、正方形の一辺（Ｓ）をＬＥＤ基板４の横幅（Ｗ）とほぼ等しくして、ＬＥＤ基板４を四角柱状の挿入隙間５の内面に沿って配置できるようにしている。さらに、これらの図に示す棚板１は、ＬＥＤ基板４に加えて、ＬＥＤ６から照射される光を反射する反射板９も挿入隙間５に配置している。
【００３９】
図１５の棚板１は、四角柱状の挿入隙間５の内面であって、プラスチック板３の後縁側から前縁側に向かって上り勾配に傾斜する面に、ＬＥＤ６の照射方向がプラスチック板３の後縁側となるようにＬＥＤ基板４を配置している。さらに、図１５に示す棚板１は、断面形状がコ字状となるように内側に折曲してなる反射板９を挿入隙間５に配置している。図の反射板９は、３つの反射面９Ａを備えており、各反射面９Ａを四角柱の３つの内面に沿って配置している。３つの反射面９Ａは、中間の反射面９Ａをプリント基板７の表面に沿って配置すると共に、両側の反射面９Ａをプリント基板７と隣り合う内面に沿って配置している。この棚板１は、ＬＥＤ６から照射される直接光を、プラスチック板３の上面に向かって傾斜する方向に照射すると共に、両側の反射面９Ａで反射される反射光をプラスチック板３の上面に照射して、棚板１に載せられる商品の前面を下から明るく照射する。
【００４０】
さらに、図１６の棚板１は、四角柱状の挿入隙間５の内面であって、プラスチック板３の後縁側から前縁側に向かって下り勾配に傾斜する面に、ＬＥＤ６の照射方向がプラスチック板３の後縁側となるように、すなわち、ＬＥＤ６の照射方向が斜め下向きとなるようにＬＥＤ基板４を配置している。この棚板１は、ＬＥＤ６から照射される光を反射板９で反射して棚板１の上面に照射する。図１６に示す棚板１は、挿入隙間５に配置する反射板９を凹面状としている。反射面９Ｂを凹面状とする反射板９は、金属板を湾曲加工して製造できる。この反射板９は、ＬＥＤ６から照射される光を、凹面状の反射面９Ｂで反射して、プラスチック板３の上面に向かって傾斜する方向に照射する。とくに、凹面状の反射面９Ｂで反射される反射光は、集光して照射されて、棚板１に載せられる商品の前面を下から明るく照射する。
【００４１】
さらに、図１７の棚板１は、プラスチック板３の内部に、横断面形状を二等辺三角形とする三角柱状の縦孔を穿孔して挿入隙間５としている。この棚板１は、二等辺三角形の垂直面である底辺（Ｔ）をＬＥＤ基板４の横幅（Ｗ）とほぼ等しくして、ＬＥＤ基板４を垂直姿勢で底辺側の内面に沿って配置している。さらに、図に示す棚板１は、ＬＥＤ６から照射される光を反射する反射板９も挿入隙間５に配置している。図の反射板９は、中間で折曲してなる２つの反射面９Ａを備えており、一方の反射面９Ａをプリント基板７の表面に沿って配置すると共に、他方の反射面９Ａをプリント基板７と隣り合う内面であって、プラスチック板３の後縁側から前縁側に向かって下り勾配に傾斜する面に沿って配置している。この棚板１は、ＬＥＤ６から照射される直接光を、プラスチック板３の上面に向かって傾斜する方向に照射すると共に、傾斜面に配置された反射面９Ａで反射される反射光をプラスチック板３の上面に照射して、棚板１に載せられる商品の前面を下から明るく照射する。
【００４２】
以上のように、挿入隙間５に反射板９を備える棚板１は、ＬＥＤ６から照射される直接光に加えて、反射板９で反射された間接光を照射して、棚板１に載せられる商品をより明るく照射できる。さらに、反射板を備える棚板は、反射板の形状や挿入隙間の形状、さらには、ＬＥＤから照射される入射光に対する反射面の傾斜角や反射率等を種々に変更して、ＬＥＤ基板のＬＥＤから照射される光を意図する方向に効果的に照射することができる。
【００４３】
以上のように、本発明の棚は、棚板１に陳列される商品の前面に下から光を照射するので、設置面に向かって幅が狭くなる形状の商品、例えば、逆テーパー形状や樽形状の商品を載せる状態においても、下側を明るく照らすことができる特徴がある。さらに、図２に示す棚においては、最上段に商品を陳列する状態では、商品の下側から明るく照らすだけでなく、商品の上側には板を設ける必要がないので、開放感のある棚を実現できる特徴がある。さらにまた、図１に示す棚において、天板２０に代わって棚板を配置することもできる。この棚も、最上段に位置する棚板の上側には板等を配置しないので、開放感のある棚を実現できる。
【産業上の利用可能性】
【００４４】
本発明の棚は、棚板の内部に配置しているＬＥＤから光を照射して棚板に陳列された商品を照らすので、棚板のみを配置して、スッキリと綺麗なデザインとしながら商品を明るく照射できる。
【符号の説明】
【００４５】
１…棚板                        １Ａ…棚板上面
２…支持部
３…プラスチック板
４…ＬＥＤ基板
５…挿入隙間
６…ＬＥＤ
７…プリント基板
８…スリット
９…反射板                      ９Ａ…反射面
９Ｂ…反射面
１０…中空プラスチック板
１１…上面プレート
１２…下面プレート
１３…ハニカムコア
１４…装飾プレート
１５…垂直リブ
１６…開口部
１７…閉塞部材                  １７Ａ…挿入部
１７Ｂ…鍔部
２０…天板
２１…垂直プレート
２２…垂直プレート
２３…支持アーム
【図１】
2012135545.tif 000003
【図２】
2012135545.tif 000004
【図３】
2012135545.tif 000005
【図４】
2012135545.tif 000006
【図５】
2012135545.tif 000007
【図６】
2012135545.tif 000008
【図７】
2012135545.tif 000009
【図８】
2012135545.tif 000010
【図９】
2012135545.tif 000011
【図１０】
2012135545.tif 000012
【図１１】
2012135545.tif 000013
【図１２】
2012135545.tif 000014
【図１３】
2012135545.tif 000015
【図１４】
2012135545.tif 000016
【図１５】
2012135545.tif 000017
【図１６】
2012135545.tif 000018
【図１７】
2012135545.tif 000019